(57)【要約】【課題】簡単な構成で、押鍵終了後のウイペンの復帰を速めて連打性能を高めることができる。【解決手段】アクション機構ＡＣＴは、主に、鍵１０の動作により駆動されるウイペン２３と、ハンマアセンブリ４０と、ダンパアセンブリ５０とを備えている。押鍵により鍵１０の後端部が上昇し、該後端部に固定されたキャプスタン１２がウイペン２３を押し上げる。センターレール１６に固定された取付金具１５の水平部分の下面とウイペン２３の上面との間に、スプリング１７が架け渡されて配設される。ウイペン２３におけるスプリング１７の係合位置は、回動中心であるピン２２ａとジャックフレンジ２５との間である。スプリング１７によって、ウイペン２３が回動初期位置の方向へ常に付勢される。従って、離鍵時におけるウイペン２３の回動初期位置への復帰が迅速となる。【選択図】図１
2010181607.tif 000002
【特許請求の範囲】
【請求項１】
押鍵操作によって作動し、ハンマ体を回動させるアップライト型アクションであって、
前記アクションの不可動部材に対して固定的な回動中心を中心に回動自在に配設され、非押鍵状態において回動初期位置に位置し、押鍵操作された鍵によって駆動されて回動するウイペンと、
前記ウイペンに回動自在に設けられ、該ウイペンの回動に伴って前記ハンマ体を突き上げ駆動して回動させるジャックと、
重力以外の作用によって、前記不可動部材の固定的な部分に対して相対的に前記ウイペンを前記回動初期位置の方向に常時付勢する付勢手段とを有することを特徴とするアップライト型アクション。
【請求項２】
前記付勢手段は、前記アクションに配設されたセンターレールと前記ウイペンとに架け渡されて配設されたことを特徴とする請求項１記載のアップライト型アクション。
【請求項３】
前記付勢手段における付勢力を調節する調節手段を有することを特徴とする請求項１または２記載のアップライト型アクション。
【請求項４】
請求項１〜３のいずれか１項に記載のアップライト型アクションと、揺動支点で揺動自在で、押鍵操作により前記アップライト型アクションの前記ウイペンを駆動する鍵とを有し、前記鍵において前記揺動支点よりも前端側の位置に錘が設けられたことを特徴とする鍵盤楽器。
【請求項５】
前記錘の質量及び配置位置は、前記アップライト型アクションの前記付勢手段によって前記ウイペンを介して前記鍵に加わる前記揺動支点周りの回転モーメントと同じ大きさかまたはそれより小さい回転モーメントであって反対方向の回転モーメントが、前記鍵に加わるように定められることを特徴とする請求項４記載の鍵盤楽器。
【発明の詳細な説明】
【技術分野】
【０００１】
本発明は、押鍵操作によって作動し、ハンマ体を回動させるアップライト型アクション及び鍵盤楽器に関する。
【背景技術】
【０００２】
従来、押鍵操作によって作動し、ハンマ体を回動させるアップライト型アクションを備えた鍵盤楽器が知られている。この種の楽器であるアップライトピアノは、レペティションレバーを有しないため、グランドピアノに比し連打性が劣る。
【０００３】
すなわち、一般のアップライトピアノにおいては、押鍵操作に連動してウイペンが上方に回動し、ウイペンに回動自在に連結されているジャックがバットヒール部を突き上げ駆動することで、ハンマ体が回動する。ジャックは、ウイペンの回動途中でレギュレーティングボタンに当接して回動し、バットヒール部から脱進する。ハンマ体は、打弦して跳ね返り、バックチェックに受け止められる。
【０００４】
次に、押鍵終了状態から離鍵すると、鍵、ウイペンがそれぞれの初期位置の方向に回動する。ジャックも、レギュレーティングボタンとの当接が解除されると初期位置の方向に回動する。
【０００５】
しかしながら、ウイペンは、その自重によって初期位置に復帰するだけであるので、押離鍵の態様によっては、ウイペンの復帰が鍵の復帰に十分に追従できない場合がある。鍵は復帰したが、ウイペンが十分に復帰していない状態（ジャックがバットヒール部の下側の位置に戻れない状態）で次の押鍵操作がなされると、ジャックの突き上げ動作が空振りし、ハンマ体を回動させることができない。つまり、連打に失敗する。
【０００６】
このような事情から、アップライトピアノにおいては、連打性に不満があった。
【０００７】
ところで、下記特許文献１の鍵盤楽器では、板バネを設け、押鍵操作により回動するウイペンの端部が上記板バネに当接して、その反発力がウイペン及び鍵を介して指に伝わるように構成される。これにより、アップライトにおけるダンパを有する鍵を押鍵した際のような押鍵タッチ感触を実現している。また、ペダル操作により、ウイペンが上記板バネに当接するかしないかを切り替え、タッチ感触を切り替えることができる。
【先行技術文献】
【特許文献】
【０００８】
【特許文献１】特開２００３−２８０６５７号公報
【発明の概要】
【発明が解決しようとする課題】
【０００９】
しかしながら、上記特許文献１は、タッチ感触を良好にすることが目的であって、連打性を高めるものではない。しかも、ペダル操作により板バネの当接を切り替えるための構成が複雑である。さらに、ウイペンと板バネとの当接は、押鍵行程の途中から生じるが、その感触は、バネの弾性による負荷が増えるものであって、慣性によるものではなく、グランドピアノの感触とは異質なものである。
【００１０】
本発明は上記従来技術の問題を解決するためになされたものであり、その目的は、簡単な構成で、押鍵終了後のウイペンの復帰を速めて連打性能を高めることができるアップライト型アクション及び鍵盤楽器を提供することにある。
【課題を解決するための手段】
【００１１】
上記目的を達成するために本発明の請求項１のアップライト型アクションは、押鍵操作によって作動し、ハンマ体（４０）を回動させるアップライト型アクションであって、前記アクションの不可動部材（１６）に対して固定的な回動中心（２２ａ）を中心に回動自在に配設され、非押鍵状態において回動初期位置に位置し、押鍵操作された鍵によって駆動されて回動するウイペン（２３）と、前記ウイペンに回動自在に設けられ、該ウイペンの回動に伴って前記ハンマ体を突き上げ駆動して回動させるジャック（２６）と、重力以外の作用によって、前記不可動部材の固定的な部分に対して相対的に前記ウイペンを前記回動初期位置の方向に常時付勢する付勢手段（１７、６０、７０）とを有することを特徴とする。
【００１２】
ここで、「アクションの不可動部材」には、例えば、アップライトピアノのアクションにおいてはセンターレールや筬等の部材が相当する。電子鍵盤楽器では、アクションのパーツが取り付けられるフレーム等が相当する。
【００１３】
好ましくは、前記付勢手段は、前記アクションに配設されたセンターレール（１６）と前記ウイペンとに架け渡されて配設される（請求項２）。
【００１４】
好ましくは、前記付勢手段における付勢力を調節する調節手段（６１、７４）を有する（請求項３）。
【００１５】
上記目的を達成するために本発明の請求項４の鍵盤楽器は、請求項１〜３のいずれか１項に記載のアップライト型アクションと、揺動支点（１３）で揺動自在で、押鍵操作により前記アップライト型アクションの前記ウイペンを駆動する鍵とを有し、前記鍵において前記揺動支点よりも前端側の位置に錘（１４）が設けられたことを特徴とする。
【００１６】
好ましくは、前記錘の質量及び配置位置は、前記アップライト型アクションの前記付勢手段によって前記ウイペンを介して前記鍵に加わる前記揺動支点周りの回転モーメントと同じ大きさかまたはそれより小さい回転モーメントであって反対方向の回転モーメントが、前記鍵に加わるように定められる（請求項５）。
【００１７】
なお、上記括弧内の符号は例示である。
【発明の効果】
【００１８】
本発明の請求項１によれば、簡単な構成で、押鍵終了後のウイペンの復帰を速めて連打性能を高めることができる。
【００１９】
請求項２によれば、スペースを有効に利用して付勢手段をコンパクトに配設することができる。
【００２０】
請求項３によれば、連打性能や押鍵感触を調節することができ、押鍵感触のキースケーリングをきめ細かく行うことができる。
【００２１】
本発明の請求項４によれば、簡単な構成で、付勢力による押鍵負荷における違和感を軽減しつつ、押鍵終了後のウイペンの復帰を速めて連打性能を高めることができる。
【００２２】
請求項５によれば、押鍵感触をグランドピアノのものに近づけることができる。
【図面の簡単な説明】
【００２３】
【図１】本発明の一実施の形態に係るアップライト型アクションが適用される鍵盤楽器における１つの鍵に対応するアクション機構を示す側断面図である。
【図２】ウイペンを回動初期位置の方向へ付勢する付勢機構として、スプリングに代えて採用される調節機構付き付勢機構の断面図（図（ａ））、磁気的付勢機構の断面図（図（ｂ））である。
【発明を実施するための形態】
【００２４】
以下、本発明の実施の形態を図面を参照して説明する。
【００２５】
図１は、本発明の一実施の形態に係るアップライト型アクションが適用される鍵盤楽器における１つの鍵に対応するアクション機構を示す側断面図である。本鍵盤楽器は、いわゆるアップライトピアノとして構成される。鍵１０としては白鍵１０Ｗ及び黒鍵１０Ｂがそれぞれ複数存在する。同図では、白鍵１０Ｗに対応するアクション機構ＡＣＴを示すが、他の白鍵１０Ｗ及び黒鍵１０Ｂに対応するものも同様に構成される。
【００２６】
鍵１０（１０Ｗ、１０Ｂ）は、棚板１１に配設され、バランスピン１３（１３Ｗ、１３Ｂ）を中心に、シーソー型に揺動自在になっている。押鍵される側が前端側（同図右側）である。本鍵盤楽器において、アクション機構ＡＣＴは、鍵１０の後端部（同図左側の端部）の上方に配設される。
【００２７】
アクション機構ＡＣＴは、主に、鍵１０の動作により駆動されるウイペン２３と、ウイペン２３に設けられるジャック２６により駆動されて弦Ｓを打撃するハンマ体であるハンマアセンブリ４０と、ウイペン２３の動作により駆動される弦Ｓを押さえるダンパアセンブリ５０とを備えている。押鍵により鍵１０の後端部が上昇し、該後端部に固定されたキャプスタン１２がウイペン２３を押し上げるようになっている。鍵１０のバランスピン１３よりも前端側の部分には、錘１４が２つ設けられている。錘１４は、鉛等の質量の大きい材料でなり、嵌挿固着により設けられる。
【００２８】
アクション機構ＡＣＴ、ハンマアセンブリ４０及びダンパアセンブリ５０は、センターレール１６により支持されている。センターレール１６は、本鍵盤楽器の全幅に亘って延在し、鍵１０の並び方向における複数箇所において、不図示のアクションブラケットによって棚板１１に固定されている。センターレール１６は、アクション機構ＡＣＴを構成する不可動部材の１つである。
【００２９】
センターレール１６の下端部には、各鍵１０について１個ずつウイペンフレンジ２２が固定されている。ウイペンフレンジ２２の下端部には、ウイペン２３の後端部よりやや前方部分がピン２２ａによって回動自在に支持されている。ウイペン２３は長手方向をアップライトピアノの前後方向に向けて延在させられており、その前端部の下面にはウイペンヒール２４が固定されている。非押鍵状態において、ウイペンヒール２４の下面は、キャプスタン１２に当接し、これによって、ウイペン２３の回動初期位置が規制される。
【００３０】
また、ウイペン２３には、ピン２２ａよりも前方において、上方へ向けて突出するジャックフレンジ２５が固定され、ジャックフレンジ２５の上端部には、ほぼＬ字状をなすジャック２６の屈曲部が回動自在に支持されている。ジャック２６は、斜め上方に向けて延在するジャック大２６ａと、このジャック大２６ａにほぼ直交するジャック小２６ｂとから構成されている。ジャック小２６ｂとウイペン２３との間には、ジャックスプリング２７が介装されている。
【００３１】
ウイペン２３には、ジャック２６の他、バックチェック３８、ブライドルワイヤ３９ａ、ブライドルテープ３９ｂが取り付けられて、これらによりウイペンアセンブリが構成されている。
【００３２】
センターレール１６には、ブラケット３１を介してレギュレーティングレール３２が固定されている。レギュレーティングレール３２は、本鍵盤楽器の全幅に亘って延在する。レギュレーティングレール３２には、スクリュー３３により上下方向の位置が調整可能とされたレギュレーティングボタン３４が取り付けられている。
【００３３】
ハンマアセンブリ４０の基部を構成するバット４１は、センターレール１６に固定されたバットフレンジ４２にセンターピン４２ａを介して回転自在に取り付けられている。バット４１には、初期位置において斜め上方へ向けて延在するハンマシャンク４３が固定され、ハンマシャンク４３の上端部にはハンマ４４が固定されている。ハンマ４４は、ハンマシャンク４３の先端に固定されるハンマウッド４４ａと、ハンマウッド４４ａの先端に設けられるハンマフェルト４４ｂとを備えており、押鍵時にはこのハンマフェルト４４ｂが弦Ｓを打撃する。
【００３４】
また、バット４１には、ハンマシャンク４３とほぼ直交する方向にキャッチャシャンク４５が固定され、キャッチャシャンク４５の先端部にはキャッチャ４６が固定されている。また、バット４１の後側上端部には、バット４１を時計方向へ付勢するバットスプリング４７が取り付けられている。さらに、バット４１の下面には、バットアンダーフェルト４１ａとこれを覆うバットアンダースキン４１ｂとが取り付けられ、バットアンダースキン４１ｂにはジャック大２６ａの上端面が当接している。
【００３５】
ハンマシャンク４３の前方において、ハンマレール３６が、鍵盤楽器の全幅に亘って延在し、その後面には、ハンマパッド３７が取り付けられている。ハンマアセンブリ４０は、バットスプリング４７の付勢力により、ハンマシャンク４３をハンマパッド３７に当接させた初期位置に保持されている。
【００３６】
ウイペンアセンブリにおいて、バックチェック３８は、ウイペン２３の自由端である前端部に固定され、初期位置へ回動復帰するハンマアセンブリ４０のキャッチャ４６を弾性的に受け止める。ブライドルワイヤ３９ａは、バックチェック３８の隣に取り付けられ、ブライドルワイヤ３９ａの上端部とキャッチャ４６とはブライドルテープ３９ｂによって連結されている。ブライドルテープ３９ｂは、ハンマアセンブリ４０の回動復帰をウイペン２３の回動復帰に追従させることにより、ハンマアセンブリ４０の跳ね返りに起因する弦Ｓの二度打ちを防止するためのものである。
【００３７】
ダンパアセンブリ５０において、センターレール１６には、ダンパフレンジ５１が取り付けられる。ダンパフレンジ５１には長手方向を上下方向へ向けたダンパレバー５２が回動自在に支持され、ダンパレバー５２の上端部には、ダンパワイヤ５３を介してダンパ５４が取り付けられている。ダンパ５４は、ダンパワイヤ５３にネジ５４ａによって固定されたホルダ５４ｂと、ホルダ５４ｂに固定された制振部５４ｃとを有している。ダンパレバー５２は、ダンパフレンジ５１に固定されたダンパレバースプリング５５によって反時計方向に付勢され、これにより、通常はダンパ５４の制振部５４ｃが弦Ｓを押さえて他の弦Ｓが打弦されたときの共振を防止している。
【００３８】
一方、押鍵によりウイペン２３が図１の反時計方向へ回動すると、ウイペン２３の後端部に取り付けられたダンパスプーン５６がダンパレバー５２をダンパレバースプリング５５の付勢力に抗して時計方向へ回転させ、ダンパ５４を弦Ｓから離間させる。その後、ハンマ４４が弦Ｓを打撃して打弦音が発生する。
【００３９】
このように、アクション機構ＡＣＴの構成、外観形状、動作は、従来の一般的なアップライトピアノと基本的に同様である。しかし、本実施の形態では、さらに、ウイペン２３を回動初期位置の方向へ付勢する付勢機構として、コイル状のスプリング１７が配設されている。
【００４０】
センターレール１６には、側面視でＬ字状の取付金具１５が、ネジ１８により固定されている。取付金具１５の下部の水平部分の下面とウイペン２３の上面との間に、スプリング１７が架け渡されて配設される。ウイペン２３におけるスプリング１７の係合位置は、回動中心であるピン２２ａとジャックフレンジ２５との間であり、スプリング１７は鉛直方向に伸縮するように配設される。
【００４１】
スプリング１７の上端、下端は、それぞれ取付金具１５とウイペン２３とに固着されている。ただし、スプリング１７の前後左右方向への位置がずれないように規制する筒状部材等の規制手段を設ければ、スプリング１７の上端、下端のいずれかまたは双方を、固着ではなく単なる当接状態とすることも可能である。
【００４２】
ウイペン２３が回動初期位置にあるとき、スプリング１７は少し圧縮状態にされている。取付金具１５は、センターレール１６を介して棚板１１に対して固定関係にあるので、ウイペン２３は、回動の全行程において、スプリング１７により回動初期位置の方向に常に付勢されている。
【００４３】
押鍵によって、キャプスタン１２がウイペン２３を押し上げると、スプリング１７による反力が増していく。ここで、ゆっくりとした押鍵行程において、押鍵開始時から押鍵終了時までに、鍵１０に作用する演奏点における押鍵力である「ダウンウェイト」は増加する。その増加率は、なるべく小さ方がよい。具体的には、２０％以内となるように、スプリング１７のバネ定数や非押鍵状態における圧縮の程度が設定されている。これにより、バネ感が加わることによるタッチの違和感を軽減している。
【００４４】
その結果、従来の一般的なアップライトピアノに対して、鍵１０にはスプリング１７による負荷が余計に加わることになる。その負荷に釣り合うように、鍵１０には、上記した錘１４が設けられる。スプリング１７によってウイペン２３を介して鍵１０にバランスピン１３周りの反時計方向の回転モーメントがかかるが、錘１４の質量及び配置位置は、その回転モーメントを相殺するように定められている。そのように設計されるならば、錘１４の数は問わない。
【００４５】
なお、錘１４の質量及び配置位置は、必ずしも、スプリング１７によって加わるバランスピン１３周りの回転モーメントを相殺するものでなくてもよく、ダウンウェイトが所定の大きさとなるように設定してもよい。例えば、スプリング１７によって加わるバランスピン１３周りの回転モーメントより小さい反対方向の回転モーメントが鍵１０に加わるように設定してもよい。
【００４６】
従って、押鍵感触としては、ダウンウェイトの大きさ自体は、従来のアップライトピアノとさほど違いはないが、鍵１０の慣性質量が大きくなるため、グランドピアノの感触に近いものとなる。
【００４７】
押離鍵行程における動作は、基本的に従来と同じである。押鍵操作に連動してウイペン２３の前端部がウイペンヒール２４を介して突き上げられて上方に回動し、ジャック２６がバット４１のヒール部を突き上げ駆動することで、ハンマ４４が回動する。ウイペンの回動途中でジャック小２６ｂがレギュレーティングボタン３４に当接すると、ジャック２６は、ウイペン２３に対して相対的に時計方向に回動し、やがてバット４１のヒール部から脱進する。ハンマ４４が打弦して跳ね返ると、キャッチャ４６がバックチェック３８に受け止められる。
【００４８】
次に、押鍵終了状態から離鍵すると、鍵１０、ウイペン２３がそれぞれの初期位置の方向に回動し、ジャック２６も、レギュレーティングボタン３４との当接が解除されると初期位置の方向に回動する。ここで、ウイペン２３が自重だけでなくスプリング１７によっても付勢されていることから、離鍵時における初期位置への復帰が迅速となる。
【００４９】
すなわち、押鍵終了状態において、離鍵すると、バックチェック３８に受け止められているハンマ４４は、バックチェック３８から解放されるが、ハンマ４４の慣性は非常に大きいため、一瞬、静止状態を保ち、直ちには復帰方向へ回動しない。一方、慣性の比較的小さい鍵１０やウイペン２３は、自重で初期位置に復帰するわけであるが、本実施の形態では、スプリング１７によってウイペン２３が付勢されているので、従来に比し速く戻る。そのため次の押鍵までに、ジャック２６がハンマ４４のバット４１のヒール部の下側に位置しやすく、連打に有利となる。
【００５０】
本実施の形態によれば、押鍵終了後のウイペン２３の復帰を速めて連打性能を高めることができる。また、ウイペン２３の復帰を速める上で、従来の構成に対して、スプリング１７を設けるだけでよいので、構成が簡単である。
【００５１】
また、スプリング１７は、取付金具１５を介してセンターレール１６とウイペン２３との間に架け渡されたので、空いているスペースを有効に利用してスプリング１７をコンパクトに配設することができる。
【００５２】
しかも、鍵１０において、錘１４が揺動支点であるバランスピン１３よりも前端側に設けられたので、スプリング１７の付勢力による押鍵負荷における違和感を軽減することができる。特に、錘１４の質量及び配置位置は、スプリング１７によってウイペン２３を介して鍵１０に加わるバランスピン１３周りの回転モーメントを相殺するように定められたので、押鍵感触をグランドピアノのものに近づけることができる。
【００５３】
ところで、スプリング１７の付勢力（バネ定数や圧縮の程度）は、鍵１０毎あるいは鍵域毎に異ならせてもよい。また、次に示すように、付勢力の調節機構を設けてもよい。
【００５４】
図２（ａ）は、ウイペン２３を回動初期位置の方向へ付勢する付勢機構として、スプリング１７に代えて採用される調節機構付き付勢機構の断面図である。この調節機構付き付勢機構６０は、スプリング１７と同じ位置に配設される。
【００５５】
調節機構付き付勢機構６０において、スリーブ６２内を上下方向に摺動自在にプランジャ６３が配設され、プランジャ６３の下端がスリーブ６２から突出している。スリーブ６２の上端６２ａが、取付金具１５（図１参照）に固定され、プランジャ６３の下端が、ウイペン２３の上面に当接している。スリーブ６２の上端６２ａには、雌ねじが形成されており、そこにスクリュ６１が螺合されている。スリーブ６２内において、プランジャ６３の上部の凹部とスクリュ６１の下端との間に、コイルスプリング６４が介装されている。
【００５６】
スクリュ６１を回転させると、スリーブ６２の上端６２ａに対するスクリュ６１の上下方向の位置が変化するので、コイルスプリング６４の圧縮状態も変化する。従って、コイルスプリング６４によってウイペン２３を付勢する力を、スクリュ６１の操作によって調節することができる。
【００５７】
この構成により、図１の例と同様の効果を奏するだけでなく、連打性能や押鍵感触を個々に調節することができる。特に、鍵１０毎に個別に調節できるので、押鍵感触のキースケーリングをきめ細かく行うことができる。
【００５８】
ところで、ウイペン２３を回動初期位置の方向へ付勢する付勢機構としては、スプリングの形態の弾性体に限られず、各種の弾性体乃至弾性材を採用することができる。あるいは、次に例示するように、磁力を利用してもよい。
【００５９】
図２（ｂ）は、ウイペン２３を回動初期位置の方向へ付勢する付勢機構として、スプリング１７に代えて採用される磁気的付勢機構の断面図である。この磁気的付勢機構７０は、スプリング１７と同じ位置に配設される。
【００６０】
磁気的付勢機構７０において、支持部７１がウイペン２３の上面に固着され、支持部７１の上部に第１磁石７２が固着される。一方、取付金具１５の水平部分の下面に、支持部７３が固着される。支持部７３の下端部において突出した部分には、雄ねじ７３ａが形成される。支持部７３に対して、磁石付きスクリュ７４が取り付けられる。磁石付きスクリュ７４において、スクリュ部７６の上側の凹部には、雄ねじ７３ａに対応する雌ねじ７４ａが形成されている。磁石付きスクリュ７４において、スクリュ部７６の下部には第２磁石７５が固着されている。
【００６１】
第１磁石７２及び第２磁石７５は、いずれも永久磁石でなり、互いに同じ磁極（例えば、Ｎ極）同士を対向させていて、磁力による反発力を常時発生させている。そして、磁石付きスクリュ７４は、その雌ねじ７４ａが支持部７３の雄ねじ７３ａに螺合されることで支持部７３に取り付けられると共に、その螺合の深さによって、上下方向の位置が調節可能になっている。
【００６２】
磁石付きスクリュ７４を回転させることで、第１磁石７２及び第２磁石７５の対向面同士の間隔が変化するので、両者の反発力も変化する。従って、上記反発力によってウイペン２３を付勢する力を、磁石付きスクリュ７４の操作によって調節することができる。これにより、図２（ａ）と同様の効果を奏することができる。
【００６３】
なお、上記各例において、付勢機構をセンターレール１６に対して係合させる上で、取付金具１５を介在させたが、それは必須でない。すなわち、介在物を介さずに、センターレール１６に対して直接に係合乃至固着できるよう、センターレール１６自体の形状を変更してもよい。
【００６４】
なお、上記各例においては、付勢機構は、いずれも、ウイペン２３に対して押圧力を発生させるものであったが、これに限るものではない。要は、重力以外の作用によって、アクション機構ＡＣＴを構成する不可動部材に対して相対的にウイペン２３を回動初期位置の方向に常時付勢する付勢機構として構成すればよい。従って、例えば、ウイペン２３の後端部、すなわち、ピン２２ａよりも後方位置とアクション機構ＡＣＴを構成する不可動部材との間に、ウイペン２３の後端部を上方に突き上げるあるいは引っ張るような付勢力を発生させる付勢機構を設けてもよい。または、ウイペン２３の前端部と上記不可動部材との間に、ウイペン２３の前端部を下方に押圧あるいは引っ張るような付勢力を発生させる付勢機構を設けてもよい。
【００６５】
あるいは、アクション機構ＡＣＴを構成する不可動部材ではなく、ウイペン２３の前端部と棚板１１との間に付勢機構を配設する場合、その付勢機構は、ウイペン２３の前端部を下方に引っ張るような付勢力を発生させる付勢機構とする。また、ウイペン２３の後端部と棚板１１との間に付勢機構を設ける場合は、ウイペン２３の後端部を上方に突き上げるような付勢力を発生させる付勢機構とする。
【００６６】
あるいは、ピン２２ａの周りにおいて、ねじりバネの両端部を、ウイペンフレンジ２２とウイペン２３とにそれぞれ固定し、トルクの発生によってウイペン２３を図１の時計方向に直接付勢するように構成してもよい。
【００６７】
なお、上記各例では、アップライトピアノへの適用を例示したが、アップライト型のアクション機構を利用する電子楽器にも適用可能である。
【符号の説明】
【００６８】
１０  鍵、  １１  棚板、  １３  バランスピン（揺動支点）、  １４  錘、  １６  センターレール（不可動部材）、  １７  スプリング（付勢手段）、  ２２ａ  ピン（回動中心）、  ２３  ウイペン、  ２６  ジャック、  ４０  ハンマアセンブリ（ハンマ体）、  ６０  調節機構付き付勢機構（付勢手段）、  ６１、７４  スクリュ（調節手段）、  ７０  磁気的付勢機構（付勢手段）、  ＡＣＴ  アクション機構（アップライト型アクション）
【図１】
2010181607.tif 000003
【図２】
2010181607.tif 000004